(57)【特許請求の範囲】
【請求項１】
漏電電流検出部からの信号を受けて動作するプランジャ形トリップコイルのアーマチュアにアクチュエータと漏電表示ボタンを連結し、該アクチュエータに従動するトリップレバーを介して主回路接触子を引外し動作させる漏電しゃ断器であり、引外し動作後のリセットをハンドル操作で行うようにしたものにおいて、
操作ハンドルと一体に前記アクチュエータに向けて突き出すリセットアームを設け、前記アクチュエータの昇降移動経路に沿って自己保持用の板ばねを前記トリップコイルに取付けるとともに、前記アクチュエータの前記板ばねと対向する位置に係合段部を設け、かつ前記板ばねに前記アクチュエータの係合段部と当接してアクチュエータをトリップ位置に係止保持する凸部を設け、
前記アクチュエータは、トリップ時に係合段部が板ばねの凸部を乗り越えてトリップ位置に係止保持されるとともに、リセット操作時にリセットアームを介してトリップ位置からリセット位置に向けてダイレクトに突き押し駆動されると、係合段部が板ばねの凸部を乗り越えてリセット位置にリセットされることを特徴とする漏電しゃ断器。
【発明の詳細な説明】
【０００１】
【発明の属する技術分野】
この発明は漏電しゃ断器、詳しくは漏電しゃ断器に組み込んだトリップユニットの構成に関する。
【０００２】
【従来の技術】
頭記の漏電しゃ断器として、しゃ断器ケースに操作ハンドル、トグル式接触子開閉機構、漏電検出部、漏電電流検出部からの信号を受けて動作するトリップコイル（常時は例えば永久磁石でアーマチュアを後退位置に保持し、動作時にコイル電流の磁力で動作位置に駆動する），該トリップコイルのアーマチュアに連結したアクチュエータ，およびアクチュエータに従動するトリップレバーを組合せたトリップユニットを組み込み、漏電発生時に動作するトリップユニットで主回路接触子を引外し動作して主回路電流をしゃ断するように構成したものが公知である。
【０００３】
図３，図４はかかる漏電しゃ断器の基本構成図であり、各図において、１はしゃ断器ケース、２は支軸２ａを中心に摺動する開閉操作用ハンドル、３は固定接触子、４は可動接触子、５は零相ＣＴを備えた漏電検出器、６はトリップユニットのトリップコイル、７はトリップコイル６のアーマチュア（可動鉄心）６ａの下端に連結したアクチュエータ、８はトリップレバー、９はトリップコイル６のアーマチュア６ａに連桿６ｂを介して上端側に連結した漏電表示ボタンである。なお、図示していないが、前記した操作ハンドル２と可動接触子４との間にはトグルリンクと開閉駆動ばねで構成した接触子開閉機構が、また従来の漏電しゃ断器では接触子開閉機構とは別に操作ハンドル２とトリップレバー８との間にはリンク機構で構成したリセットレバーが組み込まれている。
【０００４】
かかる構成で、定常通電時には図３の実線で表すように可動接触子４が固定接触子３に接触して閉極している。ここで、主回路に漏電が発生したことを漏電検出器５が検知すると、その出力信号によりトリップコイル６が動作し、そのアーマチュア６ａが図４の位置に吸引されてアクチュエータ７，および漏電表示ボタン９を上方に引き上げる。これにより、トリップレバー８がトリップ位置に揺動し、トグル式接触子開閉機構のラッチ（図示せず）を外して引外し動作させ、可動接触子４を図３の鎖線位置に開離して主回路電流をしゃ断する。同時に、漏電表示ボタン９（常時はケース１の内方に引っ込んでいる）がケース１から外側に突き出してしゃ断器がトリップ動作したことを外部に知らせる。
【０００５】
また、しゃ断器が引外し動作した後に、漏電の原因を修復した上でしゃ断器を投入するに際して、まず操作ハンドル２をトリップ位置からリセット位置に回すと、これに従動するリセットレバー（図示せず）がトリップユニットのアクチュエータ７を下方に引き下ろしてリセット位置に復帰させ、続いて操作ハンドル２をオン位置に戻すと、接触子開閉機構が反転動作して可動接触子４が閉極位置（図３の実線位置）に復帰する。
【０００６】
【発明が解決しようとする課題】
ところで、従来のように操作ハンドル２とトリップユニットのアクチュエータ７との間をリンク式のリセットレバーで連係し、ハンドル操作によりトリップユニットをリセットさせるようにした構成では信頼性の面で次記のような問題がある。
【０００７】
すなわち、複数のリンク部品を組合せてリセットレバーを組立てた構成では、各部品の寸法誤差，組立工程で各部品間に生じるガタ，遊びが原因で、操作ハンドル２をリセット位置に回してもトリップユニットがリセット位置に正しく復帰しないといったリセット動作上での問題が生じ易く、このことが製品の信頼性を低下させる一要因となっている。加えて、リセットレバーを構成する部品点数，組立工数も増してコスト高となる。
【０００８】
この発明は上記の点に鑑みなされたものであり、その目的は前記課題を解決し、簡易な構成でトリップユニットを確実にリセットできるように改良した漏電しゃ断器を提供することにある。
【０００９】
【課題を解決するための手段】
上記目的を達成するために、この発明によれば、漏電電流検出部からの信号を受けて動作するプランジャ形トリップコイルのアーマチュアにアクチュエータと漏電表示ボタンを連結し、該アクチュエータに従動するトリップレバーを介して主回路接触子を引外し動作させる漏電しゃ断器であり、引外し動作後のリセットをハンドル操作で行うようにしたものにおいて、操作ハンドルと一体に前記アクチュエータに向けて突き出すリセットアームを設け、前記アクチュエータの昇降移動経路に沿って自己保持用の板ばねを前記トリップコイルに取付けるとともに、前記アクチュエータの前記板ばねと対向する位置に係合段部を設け、かつ前記板ばねに前記アクチュエータの係合段部と当接してアクチュエータをトリップ位置に係止保持する凸部を設け、前記アクチュエータは、トリップ時に係合段部が板ばねの凸部を乗り越えてトリップ位置に係止保持されるとともに、リセット操作時にリセットアームを介してトリップ位置からリセット位置に向けてダイレクトに突き押し駆動されると、係合段部が板ばねの凸部を乗り越えてリセット位置にリセットされるように構成するものとする（請求項１）。
【００１１】
上記の構成で、しゃ断器の引外し動作後に操作ハンドルをリセット位置に回すと、ハンドルに設けたリセットアームの先端がトリップユニットのアクチュエータをダイレクトに押し込んでリセット位置に復帰させる。また、アクチュエータはリセット位置に復帰すると、このリセット位置で板ばね部材に係止して自己保持される。
【００１２】
しかも、リセットアームは操作ハンドルと一体に形成されているので、リンク機構で構成した従来のリセットレバーで問題となる部品間のガタ，遊びがなく、アクチュエータに一定のストロークを与えて確実にリセットすることができるほか、簡易な構造で対応できる。
【００１３】
【発明の実施の形態】
以下、この発明の実施の形態を図１，図２の実施例に基づいて説明する。なお、実施例の図中で図３，図４に対応する同一部材には同じ符号が付してある。
すなわち、この実施例においては、樹脂成形品で作られた操作ハンドル２には一体成形したリセットアーム２ｂが設けてあり、このリセットアーム２ｂの先端がトリップコイル６のアーマチュア６ａに連結してケース内に組み込んだアクチュエータ７の肩部７ａの上面に対向している。
【００１４】
また、このアクチュエータ７の昇降移動経路に沿って側方には中央を凸状に湾曲した自己保持用の板ばね１０がトリップコイル６の下端側に取付けてある。この板ばね１０は、アクチュエータ７の係合段部７ｂに当接してアクチュエータ７が図示実線で示すトリップ位置に引き上げられた状態で、トリップコイル６の通電が停止した後もこの位置に係止保持する。
【００１５】
かかる構成で、引外し動作したしゃ断器をリセットする際に、操作ハンドル２を図１のリセット位置に回すと、リセットアーム２ｂが支軸２ａを支点に反時計方向に回動し、トリップユニットのアクチュエータ７をダイレクトに押し下げ駆動する。これれにより、アクチュエータ７は板ばね１０の凸部を乗り越えて図２の実線位置から鎖線位置に移動してリセットされる。
【００１６】
【発明の効果】
以上述べたように、この発明の構成によれば、操作ハンドルと一体にアクチュエータに向けて突き出すリセットアームを設け、前記アクチュエータの昇降移動経路に沿って自己保持用の板ばねを前記トリップコイルに取付けるとともに、前記アクチュエータの前記板ばねと対向する位置に係合段部を設け、かつ前記板ばねに前記アクチュエータの係合段部と当接してアクチュエータをトリップ位置に係止保持する凸部を設け、前記アクチュエータは、トリップ時に係合段部が板ばねの凸部を乗り越えてトリップ位置に係止保持されるとともに、リセット操作時にリセットアームを介してトリップ位置からリセット位置に向けてダイレクトに突き押し駆動されると、係合段部が板ばねの凸部を乗り越えてリセット位置にリセットされるように構成したので、操作ハンドルに従動するトリップレバーをリンク機構で構成した従来のものと較べて、部品相互間のガタ，遊びもなく、常に一定したリセットストロークでトリップユニットをリセットさせることができて信頼性が向上する。また、構造的にも従来と較べて部品点数，組立工数も少なくてコストダウンが図れる。
【図面の簡単な説明】
【図１】この発明の実施例による漏電しゃ断器の主要内部構造を表した側面図
【図２】図１に組み込んだトリップユニットの構成図
【図３】この発明の実施対象となる漏電しゃ断器の基本構成図
【図４】図３におけるトリップユニットの構成図
【符号の説明】
１    しゃ断器ケース
２    操作ハンドル
２ａ  支軸
２ｂ  リセットアーム
４    可動接触子
５    漏電検出器
６    トリップコイル
６ａ  アーマチュア
７    アクチュエータ
８    トリップレバー
１０    自己保持用板ばね
【図１】
0003807042.tif 000002
【図２】
0003807042.tif 000003
【図３】
0003807042.tif 000004
【図４】
0003807042.tif 000005